(57)【要約】【課題】実際の使用環境の差異に係わらずに、液晶パネルを照明する光源の照明色の補正を行うこと。【解決手段】  センサ１６６が、バックライト１６４が液晶パネル１６１を照明する光の情報を検出する。ＥＣ／ＫＢＣ１３０がセンサ１６６が検出した色の情報をディスプレイユニット１４と本体１２との間に設けられたバスを介して取得する。色制御信号発生回路１３３が、取得した色情報に応じて、前記光源が前記液晶パネルを照明する光の色を調整するために、前記電源回路から前記赤色発光素子、前記緑色発光素子、および前記青色発光素子に供給される駆動電流の値を変更するため色制御信号をバックライト電源１５に送信する。【選択図】    図４
2009109896.tif 000002
【特許請求の範囲】
【請求項１】
本体と、
ディスプレイユニットと、
前記ディスプレイユニットに設けられた液晶パネルと、
前記ディスプレイユニットに設けられ、供給される駆動電流の値に応じて輝度がそれぞれ変化する赤色発光素子、緑色発光素子、および青色発光素子を有し、前記赤色発光素子、前記緑色発光素子、および前記青色発光素子のそれぞれが発する光を混合して得られる照明光によって前記液晶パネルを照明する光源と、
前記ディスプレイユニットに設けられ、前記照明光の色の情報を検出するセンサと、
前記本体、または前記ディスプレイユニットに設けられ、前記赤色発光素子、前記緑色発光素子、および前記青色発光素子に対して、それぞれ駆動電流を供給する電源回路と、
前記本体に設けられ、前記センサが検出した色の情報を前記ディスプレイユニットと前記本体との間に設けられたバスを介して取得する色情報取得回路と、
前記本体に設けられ、前記色情報取得回路が取得した色の情報に応じて、前記光源が前記液晶パネルを照明する光の色を調整するために、前記電源回路から前記赤色発光素子、前記緑色発光素子、および前記青色発光素子に供給される駆動電流の値を変更するための調整手段とを具備することを特徴とする情報処理装置。
【請求項２】
前記ディスプレイユニットは、前記バスに接続され、ＥＤＩＤ（Extended Display Identification Data）が格納された記憶装置を更に有することを特徴とする請求項１記載の情報処理装置。
【請求項３】
前記バスはＩ2Ｃバスであることを特徴とする請求項１または請求項２のいずれか１項に記載の情報処理装置。
【請求項４】
前記調整手段は、前記色の情報に応じて前記照明光の色温度を調整することを特徴とする請求項１ないし請求項３のいずれか１項に記載の情報処理装置。
【請求項５】
前記調整手段は、前記色の情報に応じて前記照明光の色を調整することを特徴とする請求項１ないし請求項３のいずれか１項に記載の情報処理装置。
【請求項６】
ディスプレイユニットに設けられ、光の透過／反射光量を調節する画素がマトリックス上に配列されている液晶パネルと、前記ディスプレイユニットに設けられ、供給される駆動電流の値に応じて輝度がそれぞれ変化する赤色発光素子、緑色発光素子、および青色発光素子を有し、前記赤色発光素子、前記緑色発光素子、および前記青色発光素子のそれぞれが発する光を混合して得られる照明光によって前記液晶パネルを照明する光源とを具備する情報処理装置の制御方法であって、
前記照明光の色の情報を検出し、
検出された色の情報に応じて、前記光源が前記液晶パネルを照明する光の色を調整するために、前記電源回路から前記赤色発光素子、前記緑色発光素子、および前記青色発光素子に供給される駆動電流の値を変更することを特徴とする制御方法。
【請求項７】
前記色の情報に応じて前記照明光の色温度を調整することを特徴とする請求項６に記載の制御方法。
【請求項８】
前記色の情報に応じて前記照明光の色を調整することを特徴とする請求項６に記載の制御方法。
【発明の詳細な説明】
【技術分野】
【０００１】
本発明は、赤色発光素子、緑色発光素子、および青色発光素子を有する光源の照明光を用いて液晶パネルを照明するディスプレイユニットを有する情報処理装置、および制御方法に関する。
【背景技術】
【０００２】
ＬＣＤ（Liquid Crystal Display）は、ノート型パーソナルコンピュータや、カーナビゲーションシステムの表示装置として広く用いられている。
【０００３】
ＬＣＤ内の液晶パネル自体は発光しないために、液晶パネルを照明するための光源が必要である。光源として、光源として赤色ＬＥＤ、緑色ＬＥＤ、青色ＬＥＤを用いることが提案されている。ＬＥＤの発光色のスペクトルの半値幅は狭いので、白い照明光を得やすくなるという利点を有する。
【０００４】
ところが、ＬＥＤは劣化により輝度変化や色シフトが生じる。赤色ＬＥＤ、緑色ＬＥＤ、青色ＬＥＤそれぞれに何％の割合で電流を流すのかをＲＯＭに記憶しておき、ＣＰＵの制御の基に各ＬＥＤに流す電流を微調整する技術が開示されている（特許文献１）。
【特許文献１】特開２００２−１００４８５号公報
【発明の開示】
【発明が解決しようとする課題】
【０００５】
上述した特許文献１では、色調整を行う際、予め補正データを特性データなどに基づいてパラメータを決定し、これらを用いることで実現しており、実際のユーザー使用環境（温度条件、使用経過累積時間）の差異による特性バラツキを十分に吸収して補正できないことがある。
【０００６】
本発明の目的は、実際の使用環境の差異に係わらずに、液晶パネルを照明する光源の照明色の補正を行う事が可能な情報処理装置、および制御方法を提供することにある。
【課題を解決するための手段】
【０００７】
本発明の一例に係わる情報処理装置は、本体と、ディスプレイユニットと、前記ディスプレイユニットに設けられた液晶パネルと、前記ディスプレイユニットに設けられ、供給される駆動電流の値に応じて輝度がそれぞれ変化する赤色発光素子、緑色発光素子、および青色発光素子を有し、前記赤色発光素子、前記緑色発光素子、および前記青色発光素子のそれぞれが発する光を混合して得られる照明光によって前記液晶パネルを照明する光源と、前記ディスプレイユニットに設けられ、前記照明光の色の情報を検出するセンサと、前記本体、または前記ディスプレイユニットに設けられ、前記赤色発光素子、前記緑色発光素子、および前記青色発光素子に対して、それぞれ駆動電流を供給する電源回路と、前記本体に設けられ、前記センサが検出した色の情報を前記ディスプレイユニットと前記本体との間に設けられたバスを介して取得する色情報取得回路と、前記本体に設けられ、前記色情報取得回路が取得した色の情報に応じて、前記光源が前記液晶パネルを照明する光の色を調整するために、前記電源回路から前記赤色発光素子、前記緑色発光素子、および前記青色発光素子に供給される駆動電流の値を変更するための調整手段とを具備することを特徴とする。
【発明の効果】
【０００８】
本発明によれば、実際の使用環境の差異に係わらずに、液晶パネルを照明する光源の照明色の補正を行う事が可能になる。
【発明を実施するための最良の形態】
【０００９】
本発明の実施の形態を以下に図面を参照して説明する。
【００１０】
図１は本発明の第１の実施の形態に係る情報処理装置としてのノートブック型のパーソナルコンピュータの構成の一例を示す図である。
【００１１】
パーソナルコンピュータ１０は、コンピュータ本体１２と、ディスプレイユニット１４とから構成されている。ディスプレイユニット１４には、ＬＣＤ（Liquid Crystal Display）を有する表示パネル１６が組み込まれている。
【００１２】
表示部としてのディスプレイユニット１４は、コンピュータ本体１２の上面を覆う開放位置とコンピュータ本体１２の上面が露出する閉塞位置との間を回動自在に変化するように、コンピュータ本体１２の奥手側の端部に設けられたヒンジ（支持部）に取り付けられている。
【００１３】
コンピュータ本体１２は薄い箱形の筐体を有しており、その筐体上面中央部には、キーボード２０が設けられる。コンピュータ本体１２の手前側の筐体部分上面にはパームレストが形成されている。パームレストのほぼ中央部には、タッチパッド２２が設けられる。コンピュータ本体１２の奥側の筐体部分上面には、コンピュータ本体１２の電源をオン／オフするためのパワーボタン２８が配置されている。
【００１４】
図２は、本コンピュータの表示パネル１６の概略構成を示す。  
表示パネル１６は、ＬＥＤ群１９、導光板１８、色センサ１６６、および色制御回路１６５を有する。  
ＬＥＤ群１９および導光板１８は表示パネル１６内に設けられる液晶パネルを照明するためのバックライトを構成する。ＬＥＤ群１９が導光板１８の側面に実装されている。ＬＥＤ群１９は、赤色発光素子としての赤色ＬＥＤ、緑色発光素子としての緑色ＬＥＤ、青色発光素子ととしての青色ＬＥＤとから構成されている。ＬＥＤ群は、導光板の一端に対して光を照射する。ＬＥＤ群から照射された光は導光板に伝わる。赤色ＬＥＤ、緑色ＬＥＤ、および青色ＬＥＤの発光色は混色して白色になり、導光板１８から液晶パネルに照射される。
【００１５】
色センサ１６６が導光板１８の側面に実装されている。色センサ１６６は、ＬＥＤ群１９が実装されている側面と異なる側面に実装されている。色センサ１６６は、導光板１８から液晶パネルに照射される光の色温度や色等の色情報を検出する。制御回路は、コンピュータ本体１２側の要求に応じて、センサが検出した色情報をコンピュータ本体１２側に通知する。
【００１６】
図３は、表示パネル１６のシステム構成の一例を示す図である。  
表示パネル１６は、液晶パネル１６１、ＬＣＤ駆動回路１６２、ＥＤＩＤ−ＲＯＭ１６３、バックライト１６４、色制御回路１６５、および色センサ１６６等から構成されている。
【００１７】
液晶パネル１６１は、液晶に電圧を加えると液晶分子の向き（配向）が変化する性質を利用して光の透過のオン／オフを制御する。なお、液晶だけでは、光を遮ることが出来ないので、液晶の前後に特定の変更方向の光のみを透過させる偏光フィルタが配置されている。また、液晶パネル１６１は、カラー表示を行うためにカラーフィルタを有する。本実施形態の場合、カラーフィルタは、赤色、緑色、及び青色のフィルタセグメントを有するＲＧＢ型である。
【００１８】
ＬＣＤ駆動回路１６２は、コネクタＣ１から供給されるＬＶＤＳ形式の映像信号に基づいて液晶パネル１６１の赤、緑、青色画素を駆動する。
【００１９】
ＥＤＩＤ−ＲＯＭ１６３には、ＥＤＩＤ（Extended Display Identification Data）が格納されている。ＥＤＩＤは、ＶＥＳＡ規格で規定されたディスプレイの素性を示す情報である。本体側の要求に応じて、ＥＤＩＤ−ＲＯＭ１６３に格納されているＥＤＩＤがＩ2Ｃバスを介して本体に通知される。本体とＥＤＩＤ−ＲＯＭ１６３との通信はＤＤＣ２Ｂプロトコルが用いられる。
【００２０】
バックライト１６４は、透過型（または半透過型）の液晶パネル１６１の背面から液晶パネル１６１を照明する照明部である。液晶パネル１６１が反射型の場合、液晶パネル１６１の前側の横から液晶パネル１６１を照明する照明部としてフロントサイドライトを用いる。
【００２１】
色制御回路１６５は、コンピュータ本体側の要求に応じて、センサが検出した色情報をＩ2Ｃバスを介してコンピュータ本体１２側に通知する。色の情報とは、色温度やＸＹＺ表色系における色の座標のことである。
【００２２】
ＰＣマザーボード側から出力された表示信号ならびに表示パネル１６内に供給する電源は、コネクタＣ１を経由して供給される。ＬＣＤ駆動回路１６２は、コネクタＣ１から入力された表示信号を元に液晶パネルを駆動する駆動信号を生成する。生成された駆動信号は液晶パネル１６１へ送られ、文字や画像が表示される。
【００２３】
ＰＣ本体１２側とＥＤＩＤ−ＲＯＭ１６３および色制御回路１６５とが、Ｉ2ＣバスおよびピンＰ２を経由して接続されている。ＰＣ本体１２側がマスターアドレスを有し、ＥＤＩＤ−ＲＯＭ１６３および色制御回路１６５はそれぞれスレーブアドレスを有している。ＰＣ本体１２は、ＥＤＩＤ−ＲＯＭ１６３および色制御回路１６５のそれぞれと通信を行う事が出来る。
【００２４】
さらに、色制御回路１６５はＩ2Ｃバス経由で、コンピュータ本体１２に接続されている。色センサ１６６で得られた情報は、色制御回路１６５で処理される。色制御回路１６５で処理された情報は、色情報としてＩ2Ｃバスを経由してコンピュータ本体１２に通知される。さらに、コンピュータ本体１２は、色制御回路１６５に対して、色制御を行う事が出来る。
【００２５】
次に、図４を参照して、本コンピュータのシステム構成の一例について説明する。  
本コンピュータは、図４に示されているように、ＣＰＵ１０２、ノースブリッジ１０４、メインメモリ１１４、グラフィクスコントローラ１０８、サウスブリッジ１０６、ＢＩＯＳ−ＲＯＭ１２０、ハードディスクドライブ（ＨＤＤ）１２６、エンベデッドコントローラ／キーボードコントローラＩＣ（ＥＣ／ＫＢＣ）１３０、およびバックライト電源１５等を備えている。
【００２６】
表示パネル１６は、液晶パネル１６１、ＬＣＤ駆動回路（ＬＣＤ_driver）１６２、バックライト１６４、コネクタＣ１を有する表示パネル１６を有する。
【００２７】
ＣＰＵ１０２は本コンピュータの動作を制御するために設けられたプロセッサであり、別途内蔵されているハードディスクドライブ（ＨＤＤ）からメインメモリ１１４にロードされる、オペレーティングシステム（ＯＳ）およびユーティリティを含む各種アプリケーションプログラムを実行する。また、起動時に色設定データテーブルがメインメモリ１１４にロードされる。色設定データテーブルには、同期設定データテーブルと非同期設定データとが格納されている。色設定データテーブルには、色温度が６５００Ｋおよび５０００Ｋの場合の赤色ＬＥＤ、緑色ＬＥＤ、および青色ＬＥＤの輝度のバランスが格納されている。非同期設定データには、ユーザが設定したＣＩＥ標準表色系であるｘｙ−色度図上のｘｙ座標および色温度の設定が格納されている。
【００２８】
また、ＣＰＵ１０２は、ＢＩＯＳ−ＲＯＭ１２０に格納されたシステムＢＩＯＳ（Basic Input Output System）をメインメモリ１１４にロードした後、実行する。システムＢＩＯＳはハードウェア制御のためのプログラムである。
【００２９】
ノースブリッジ１０４はＣＰＵ１０２のローカルバスとサウスブリッジ１０６との間を接続するブリッジデバイスである。ノースブリッジ１０４には、メインメモリ１１４をアクセス制御するメモリコントローラも内蔵されている。また、ノースブリッジ１０４は、ＡＧＰ（Accelerated Graphics Port）バスなどを介してグラフィクスコントローラ１０８との通信を実行する機能も有している。
【００３０】
グラフィクスコントローラ１０８は本コンピュータのディスプレイモニタとして使用される液晶パネル１６１の赤色画素、緑色画素、青色画素を制御する表示コントローラである。このグラフィクスコントローラ１０８はビデオメモリ（ＶＲＡＭ）を有しており、ＯＳ／アプリケーションプログラムによってビデオメモリに描画された表示データから、液晶パネル１６１に表示すべき表示イメージを形成する映像信号を生成する。グラフィクスコントローラ１０８によって生成された制御信号としての映像信号は信号線Ｌ１に出力される。信号線Ｌ１は、表示パネル１６に設けられたコネクタＣ１に接続されている。表示パネルに設けられたＬＣＤ駆動回路１６２は、コネクタＣ１から供給される映像信号に基づいて液晶パネル１６１の赤、緑、青色画素を駆動する。
【００３１】
エンベデッドコントローラ／キーボードコントローラＩＣ１３０は、入力手段としてのタッチパッド２２のコントロールを行うと共に、Ｉ2Ｃバスに接続されている色制御回路１６５と通信を行い、色情報を元に、バックライト１１６を制御する為に、バックライト電源１５を制御するコントローラとして機能する。エンベデッドコントローラ／キーボードコントローラＩＣ１３０は、コンピュータのシステム状態に関わらず、各種のデバイス（周辺装置やセンサ、電源回路等）を監視し制御するワンチップ・マイコンである。
【００３２】
また、ＥＣ／ＫＢＣ１３０は、色制御レジスタ（色レジスタ）１３１、バックライト輝度レジスタ（ＢＬ輝度レジスタ）１３２、色制御信号発生回路１３３、ＢＬ＿ＰＷＭ回路１３４を有する。
【００３３】
色制御レジスタ１３１には、バックライト電源１５を制御し、バックライト１６４の色を指定するためのデータが格納される。バックライト輝度レジスタ１３２には、バックライト電源１５を制御し、バックライト１６４の輝度を指定するためのデータが格納される。
【００３４】
ＢＬ＿ＰＷＭ回路１３４は、バックライト輝度レジスタ１３２に格納されているデータに基づいて制御信号としてのＰＷＭ信号を生成し、バックライト電源１５に出力する。
【００３５】
色制御信号発生回路１３３は、Ｉ2Ｃバスを介して色制御回路１６５と通信を行うことによって、色センサが検出したバックライトの色情報を取得し、色制御レジスタ１３１に色情報を書き込む。色制御信号発生回路１３３は、色制御レジスタ１３１に格納されているデータと同期設定データテーブルまたは非同期設定データとに基づいて色制御信号を生成する。色制御信号は、バックライト電源１５から赤色ＬＥＤ、緑色ＬＥＤ、および青色ＬＥＤに供給される電流値を変更するための信号である。色制御信号発生回路１３３によって生成された色制御信号はバックライト電源１５に対して出力される。
【００３６】
バックライト電源１５は、バックライトの赤色ＬＥＤ、緑色ＬＥＤ、および青色ＬＥＤを点灯するために、それぞれのＬＥＤに駆動電流を供給する。バックライト電源１５は、ＰＷＭ信号に基づいて全体の輝度レベルを決定する。また、バックライト電源１５は、色制御信号に基づいて、赤色ＬＥＤ、緑色ＬＥＤ、および青色ＬＥＤの各ＬＥＤに供給される電流値を変更する。色制御信号に基づいて赤色ＬＥＤ、緑色ＬＥＤ、および青色ＬＥＤの各ＬＥＤに供給される電流値を変更することによって、所望の色の光を液晶パネルに照明することが出来る。バックライト電源１５は、例えば、所定の色温度の白色が液晶パネルに照射されるように、赤色ＬＥＤ、緑色ＬＥＤ、および青色ＬＥＤの各ＬＥＤに供給される電流値を変更する。
【００３７】
パワーサプライは、ＡＣアダプタを介して外部電源が供給されている場合、ＡＣアダプタから供給される外部電源を用いて本コンピュータ１０の各コンポーネントに供給すべきシステム電源を生成する。また、ＡＣアダプタを介して外部電源が供給されていない場合、バッテリを用いて本コンピュータ１０の各コンポーネント（コンピュータ本体１２，およびディスプレイユニット（表示部）１４）に供給すべきシステム電源を生成する。
【００３８】
バックライトの色制御は、同期モード若しくは非同期モードで行われる。同期モードでは、ＰＣ起動時に色制御を自動的に行われる。例えば、同期モードでは、色温度が６５００Ｋ、５０００Ｋの白色光が液晶パネルに照明されるように自動的に設定される。非同期モードでは、ユーザが設定した色の光が液晶パネルに照明されるように自動的に設定される。
【００３９】
同期モードであるか非同期モードであるかの設定は、記憶装置としてのＣＭＯＳラム１４０内に同期／非同期設定として格納される。また、同期モードと非同期モードとの切り替えは、ユーティリティ１５２によって行われる。
【００４０】
例えば、ユーティリティによって表示される設定ウィンドウには、同期モードを選択するためのラジオボックスや、非同期モードを選択するためのラジオボックスが設けられている。同期／非同期のラジオボックスは排他的に選択可能である。ラジオボックスの一方が選択された状態で、他方ラジオボックスを選択した場合、ラジオボックスの一方のチェックマークが自動的に外れる。同期モードであるか非同期モードであるかの設定は、記憶装置としてのＣＭＯＳラム１４０内の同期／非同期設定レジスタ１４１に格納される。
【００４１】
同期モードでは、例えばＥＣ／ＫＢＣ１３０は、メインメモリ１１４にロードされている同期設定データテーブル１５３中の設定データに応じて色制御する。同期設定データテーブル１５３には、色情報が格納されている。
【００４２】
非同期モードの選択時、ユーティリティにて、色補正を操作することが可能である。色制御は、ｘｙ−色度図上のｘ座標とｙ座標を設定することができる。また、色温度を指定し、色温度を２５６段階などに設定することができる。ユーザが設定したｘ、ｙ座標および色温度の値は、同期／非同期設定レジスタ１４１に記録される。
【００４３】
色制御信号発生回路１３３は、起動時、またはモードが切り替えられた場合に、同期／非同期設定レジスタ１４１を参照し、同期モードであるか否かを判別する。同期モードであると判別した場合、色制御信号発生回路１３３は、ＥＣ／ＫＢＣ１３０内の色制御レジスタ１３１と、メインメモリ１１４にロードされている同期設定データテーブル１５３中の設定データに応じて、色補正を行い、バックライトの制御回路１６５に対して制御する。
【００４４】
図５のフローチャートを参照して、非同期モードの場合の色制御を説明する。  
ユーザが設定したｘ、ｙ座標および色温度の値は、同期／非同期設定レジスタ１４１に記録された後、割り込み処理を行い、色制御信号発生回路１３３は、制御回路１６５から得られた色情報を元に、色データの取得を行う（ステップＳ１１）。
【００４５】
色制御信号発生回路１３３は、色データを色制御レジスタ１３１に書き込む。色制御信号発生回路１３３は、色制御レジスタ１３１の値と、メインメモリ１１４にロードされている同期設定データテーブル１５３中の設定データと、ユーザが任意の色を欲した値である同期／非同期設定レジスタ１４１の値とで色補正処理を行う（ステップＳ１２）。色制御信号発生回路１３３は、バックライト電源１５に対して、色制御処理を出力し（ステップＳ１３）、色制御する。
【００４６】
(第２の実施形態)
図６を参照して、第２の実施形態に係わる本コンピュータのシステム構成の一例について説明する。  
本コンピュータは、図６に示されているように、ＣＰＵ１０２、ノースブリッジ１０４、メインメモリ１１４、グラフィクスコントローラ１０８、サウスブリッジ１０６、ＢＩＯＳ−ＲＯＭ１２０、ハードディスクドライブ（ＨＤＤ）１２６、およびエンベデッドコントローラ／キーボードコントローラＩＣ（ＥＣ／ＫＢＣ）１３０等を備えている。
【００４７】
本実施形態が、図４に示したシステム構成と異なるのは、ＥＣ／ＫＢＣ１３０が色情報を得るのではなく、グラフィクスコントローラ１０８が色情報を得る点である。グラフィクスコントローラ１０８は、取得した色情報をＥＣ／ＫＢＣ１３０に対してライトコマンドを発行することで、色制御レジスタ１３１に色情報を書き込む。その他の色制御は、第１の実施形態で説明したのと同様なので説明を省略する。
【００４８】
(第３の実施形態)
図７を参照して、第３の実施形態に係わる本コンピュータのシステム構成の一例について説明する。  
本コンピュータは、図７に示されているように、ＣＰＵ１０２、ノースブリッジ１０４、メインメモリ１１４、グラフィクスコントローラ３００、サウスブリッジ１０６、ＢＩＯＳ−ＲＯＭ１２０、ハードディスクドライブ（ＨＤＤ）１２６、およびエンベデッドコントローラ／キーボードコントローラＩＣ（ＥＣ／ＫＢＣ）３１０等を備えている。
【００４９】
本実施形態が、図４に示したシステム構成と異なるのは、ＥＣ／ＫＢＣ１３０が色情報を得るのではなく、グラフィクスコントローラ３００が色情報を取得すると共に、グラフィクスコントローラ３００がバックライトの色制御を行う点である。
【００５０】
グラフィクスコントローラ３００は、色制御レジスタ３０１、および色制御信号発生回路３０２等を有する。グラフィクスコントローラ３００内の色制御信号発生回路３０２は、制御回路１６５と通信を行うことによって、センサ１６６の検出した色情報を取得する。グラフィクスコントローラ３００は、取得した色情報を色制御レジスタ３０１に書き込む。
【００５１】
色制御信号発生回路３０２は、色制御レジスタ３０１に格納されているデータと同期設定データテーブルまたは非同期設定データとに基づいて色制御信号を生成する。色制御信号発生回路１３３によって生成された色制御信号はバックライト電源１５に対して出力される。
【００５２】
ＥＣ／ＫＢＣ３１０内のバックライト輝度レジスタ１３２には、バックライト電源１５を制御し、バックライト１６４の輝度を指定するためのデータが格納される。ＥＣ／ＫＢＣ３１０内のＢＬ＿ＰＷＭ回路１３４は、バックライト輝度レジスタ１３２に格納されているデータに基づいて制御信号としてのＰＷＭ信号を生成し、バックライト電源１５に出力する。
【００５３】
バックライト電源１５は、色制御信号に基づいて赤色ＬＥＤ、緑色ＬＥＤ、および青色ＬＥＤに供給される電流の比を変更すると共に、ＰＷＭ信号に基づいて所定の輝度が達成されるように各ＬＥＤに供給される電流比を保ったまま各ＬＥＤに供給する電流値を決定する。
【００５４】
(第４の実施形態)
図８を参照して、第４の実施形態に係わる本コンピュータのシステム構成の一例について説明する。  
本コンピュータは、図８に示されているように、ＣＰＵ１０２、ノースブリッジ１０４、メインメモリ１１４、グラフィクスコントローラ４００、サウスブリッジ１０６、ＢＩＯＳ−ＲＯＭ１２０、ハードディスクドライブ（ＨＤＤ）１２６、およびエンベデッドコントローラ／キーボードコントローラＩＣ（ＥＣ／ＫＢＣ）４１０等を備えている。
【００５５】
本実施形態が、図４に示したシステム構成と異なるのは、グラフィクスコントローラ４００がバックライト１６４の全体の輝度制御を行う点である。
【００５６】
グラフィクスコントローラ４００内のバックライト輝度レジスタ４０１には、バックライト電源１５を制御し、バックライト１６４の輝度を指定するためのデータが格納される。グラフィクスコントローラ４００内のＢＬ＿ＰＷＭ回路４０２は、バックライト輝度レジスタ４０１に格納されているデータに基づいて制御信号としてのＰＷＭ信号を生成し、バックライト電源１５に出力する。
【００５７】
ＥＣ／ＫＢＣ４１０は、色制御レジスタ４１１、および色制御信号発生回路４１２等を有する。ＥＣ／ＫＢＣ４１０内の色制御信号発生回路４１２は、制御回路１６５と通信を行うことによって、センサ１６６の検出した色情報を取得する。色制御信号発生回路４１２は、取得した色情報を色制御レジスタ４１１に書き込む。
【００５８】
色制御信号発生回路４１２は、色制御レジスタ４１１に格納されているデータと同期設定データテーブルまたは非同期設定データとに基づいて色制御信号を生成する。色制御信号発生回路４１２によって生成された色制御信号はバックライト電源１５に対して出力される。
【００５９】
バックライト電源１５は、色制御信号に基づいて赤色ＬＥＤ、緑色ＬＥＤ、および青色ＬＥＤに供給される電流の比を変更すると共に、ＰＷＭ信号に基づいて所定の輝度が達成されるように各ＬＥＤに供給される電流比を保ったまま各ＬＥＤに供給する電流値を決定する。
【００６０】
(第５の実施形態)
図９は、表示パネル１６のシステム構成の一例を示す図である。  
表示パネル１６は、液晶パネル１６１、ＬＣＤ駆動回路１６２、ＥＤＩＤ−ＲＯＭ１６３、バックライト１６４、色制御回路５６５、および色センサ１６６等から構成されている。
【００６１】
液晶パネル１６１、ＬＣＤ駆動回路１６２、ＥＤＩＤ−ＲＯＭ１６３、バックライト１６４、および色センサ１６６は、図３を参照して説明した構成と同様なので説明を省略する。
【００６２】
ＰＣ本体１２側とＥＤＩＤ−ＲＯＭ１６３および色制御回路５６５とが、Ｉ2ＣバスおよびピンＰ２を経由して接続されている。ＰＣ本体１２側がマスターアドレスを有し、ＥＤＩＤ−ＲＯＭ１６３および色制御回路５６５はそれぞれスレーブアドレスを有している。ＰＣ本体１２は、ＥＤＩＤ−ＲＯＭ１６３および色制御回路５６５のそれぞれと通信を行う事が出来る。
【００６３】
さらに、色制御回路５６５はＩ2Ｃバス経由で、コンピュータ本体１２に接続されている。色センサ１６６で得られた情報は、色制御回路１６５で処理される。色制御回路５６５で処理された情報は、色情報としてＩ2Ｃバスを経由してコンピュータ本体１２に通知される。さらに、コンピュータ本体１２は、色制御回路５６５に対して、色制御を行う事が出来る。
【００６４】
また、色制御回路５６５は、バックライト１６４のＬＥＤを駆動するための電流をＬＥＤに供給する電源５７０を有する。
【００６５】
つまり、図９に示したディスプレイユニットが、図３に示したディスプレイユニットと異なるのは、ＬＥＤを駆動するための電源５７０を有する点である。
【００６６】
次に、図１０を参照して、第６の実施形態に係わる本コンピュータのシステム構成の一例について説明する。  
本コンピュータは、図１０に示されているように、ＣＰＵ１０２、ノースブリッジ１０４、メインメモリ１１４、グラフィクスコントローラ６０８、サウスブリッジ１０６、ＢＩＯＳ−ＲＯＭ１２０、ハードディスクドライブ（ＨＤＤ）１２６、およびエンベデッドコントローラ／キーボードコントローラＩＣ（ＥＣ／ＫＢＣ）６３０等を備えている。
【００６７】
ＣＰＵ１０２、ノースブリッジ１０４、メインメモリ１１４、サウスブリッジ１０６、ＢＩＯＳ−ＲＯＭ１２０、およびハードディスクドライブ（ＨＤＤ）１２６の構成は、図４を参照して説明した構成と同様なので説明を省略する。
【００６８】
グラフィクスコントローラ６０８は本コンピュータのディスプレイモニタとして使用される液晶パネル１６１の赤色画素、緑色画素、青色画素を制御する表示コントローラである。このグラフィクスコントローラ６０８はビデオメモリ（ＶＲＡＭ）を有しており、ＯＳ／アプリケーションプログラムによってビデオメモリに描画された表示データから、液晶パネル１６１に表示すべき表示イメージを形成する映像信号を生成する。グラフィクスコントローラ６０８によって生成された制御信号としての映像信号は信号線Ｌ１に出力される。信号線Ｌ１は、表示パネル１６に設けられたコネクタＣ１に接続されている。表示パネルに設けられたＬＣＤ駆動回路１６２は、コネクタＣ１から供給される映像信号に基づいて液晶パネル１６１の赤、緑、青色画素を駆動する。
【００６９】
グラフィクスコントローラ６０８は、Ｉ2Ｃバスに接続されている色制御回路１６５と通信を行い、色情報を元に、バックライト１１６を制御する為に、バックライト電源５７０を制御するコントローラとして機能する。
【００７０】
また、グラフィクスコントローラ６０８は、色制御レジスタ（色レジスタ）６３１、バックライト輝度レジスタ（ＢＬ輝度レジスタ）６３２、色制御信号発生回路６３３、ＢＬ＿ＰＷＭ回路６３４を有する。
【００７１】
色制御レジスタ６３１には、バックライト電源５７０を制御し、バックライト１６４の色を指定するためのデータが格納される。バックライト輝度レジスタ６３２には、バックライト電源５７０を制御し、バックライト１６４の輝度を指定するためのデータが格納される。
【００７２】
ＢＬ＿ＰＷＭ回路６３４は、バックライト輝度レジスタ６３２に格納されているデータに基づいて制御信号としてのＰＷＭ信号を生成し、バックライト電源５７０に出力する。
【００７３】
色制御信号発生回路６３３は、Ｉ2Ｃバスを介して色制御回路１６５と通信を行うことによって、色センサが検出したバックライトの色情報を取得し、色制御レジスタ６３１に色情報を書き込む。色制御信号発生回路６３３は、色制御レジスタ６３１に格納されているデータと同期設定データテーブルまたは非同期設定データとに基づいて色制御信号を生成する。色制御信号発生回路６３３によって生成された色制御信号はバックライト電源５７０に対して出力される。
【００７４】
バックライト電源５７０は、バックライトの赤色ＬＥＤ、緑色ＬＥＤ、および青色ＬＥＤを点灯するために、それぞれのＬＥＤに駆動電流を供給する。バックライト電源５７０は、ＰＷＭ信号に基づいて全体の輝度レベルを決定する。また、バックライト電源５７０は、色制御信号に基づいて、赤色ＬＥＤ、緑色ＬＥＤ、および青色ＬＥＤの各ＬＥＤに供給される電流値を変更する。色制御信号に基づいて赤色ＬＥＤ、緑色ＬＥＤ、および青色ＬＥＤの各ＬＥＤに供給される電流値を変更することによって、所望の色の光を液晶パネルに照明することが出来る。バックライト電源５７０は、例えば、所定の色温度の白色が液晶パネルに照射されるように、赤色ＬＥＤ、緑色ＬＥＤ、および青色ＬＥＤの各ＬＥＤに供給される電流値を変更する。
【００７５】
エンベデッドコントローラ／キーボードコントローラＩＣ６３０は、入力手段としてのタッチパッド２２のコントロールを行う。エンベデッドコントローラ／キーボードコントローラＩＣ６３０は、コンピュータのシステム状態に関わらず、各種のデバイス（周辺装置やセンサ、電源回路等）を監視し制御するワンチップ・マイコンである。
【００７６】
バックライト１６４の色制御は、同期モード若しくは非同期モードで行われる。同期モードでは、ＰＣ起動時に色制御を自動的に行われる。例えば、同期モードでは、色温度が６５００Ｋ、５０００Ｋの白色光が液晶パネルに照明されるように自動的に設定される。非同期モードでは、ユーザが設定した色の光が液晶パネルに照明されるように自動的に設定される。
【００７７】
同期モードであるか非同期モードであるかの設定は、記憶装置としてのＣＭＯＳラム１４０内に同期／非同期設定として格納される。また、同期モードと非同期モードとの切り替えは、ユーティリティ１５２によって行われる。
【００７８】
例えば、ユーティリティによって表示される設定ウィンドウには、同期モードを選択するためのラジオボックスや、非同期モードを選択するためのラジオボックスが設けられている。同期／非同期のラジオボックスは排他的に選択可能である。ラジオボックスの一方が選択された状態で、他方ラジオボックスを選択した場合、ラジオボックスの一方のチェックマークが自動的に外れる。同期モードであるか非同期モードであるかの設定は、記憶装置としてのＣＭＯＳラム１４０内の同期／非同期設定レジスタ１４１に格納される。
【００７９】
同期モードでは、例えばグラフィクスコントローラ６０８は、メインメモリ１１４にロードされている同期設定データテーブル１５３中の設定データに応じて色制御を行う。同期設定データテーブル１５３には、色情報が格納されている。
【００８０】
非同期モードの選択時、ユーティリティにて、色補正を操作することが可能である。色制御は、ｘｙ−色度図上のｘ座標とｙ座標を設定することができる。また、色温度を指定し、色温度を２５６段階などに設定することができる。ユーザが設定したｘ、ｙ座標および色温度の値は、同期／非同期設定レジスタ１４１に記録される。
【００８１】
色制御信号発生回路６３３は、起動時、またはモードが切り替えられた場合に、同期／非同期設定レジスタ１４１を参照し、同期モードであるか否かを判別する。同期モードであると判別した場合、色制御信号発生回路６３３は、ＥＣ／ＫＢＣ６３０内の色制御レジスタ６３１と、メインメモリ１１４にロードされている同期設定データテーブル１５３中の設定データに応じて、色補正を行い、バックライトの制御回路１６５に対して制御する。
【００８２】
(第６の実施形態)
図１１を参照して、第６の実施形態に係わる本コンピュータのシステム構成の一例について説明する。  
本コンピュータは、図１１に示されているように、ＣＰＵ１０２、ノースブリッジ１０４、メインメモリ１１４、グラフィクスコントローラ７０８、サウスブリッジ１０６、ＢＩＯＳ−ＲＯＭ１２０、ハードディスクドライブ（ＨＤＤ）１２６、およびエンベデッドコントローラ／キーボードコントローラＩＣ（ＥＣ／ＫＢＣ）７３０等を備えている。
【００８３】
ＣＰＵ１０２、ノースブリッジ１０４、メインメモリ１１４、サウスブリッジ１０６、ＢＩＯＳ−ＲＯＭ１２０、およびハードディスクドライブ（ＨＤＤ）１２６の構成は、図４を参照して説明した構成と同様なので説明を省略する。
【００８４】
グラフィクスコントローラ７０８は本コンピュータのディスプレイモニタとして使用される液晶パネル１６１の赤色画素、緑色画素、青色画素を制御する表示コントローラである。このグラフィクスコントローラ７０８はビデオメモリ（ＶＲＡＭ）を有しており、ＯＳ／アプリケーションプログラムによってビデオメモリに描画された表示データから、液晶パネル１６１に表示すべき表示イメージを形成する映像信号を生成する。グラフィクスコントローラ７０８によって生成された制御信号としての映像信号は信号線Ｌ１に出力される。信号線Ｌ１は、表示パネル１６に設けられたコネクタＣ１に接続されている。表示パネルに設けられたＬＣＤ駆動回路１６２は、コネクタＣ１から供給される映像信号に基づいて液晶パネル１６１の赤、緑、青色画素を駆動する。
【００８５】
エンベデッドコントローラ／キーボードコントローラＩＣ７３０は、入力手段としてのタッチパッド２２のコントロールを行う。エンベデッドコントローラ／キーボードコントローラＩＣ７３０は、コンピュータのシステム状態に関わらず、各種のデバイス（周辺装置やセンサ、電源回路等）を監視し制御するワンチップ・マイコンである。
【００８６】
また、ＥＣ／ＫＢＣ７３０は、Ｉ2Ｃバスに接続されている色制御回路１６５と通信を行い、色情報を元に、バックライト１１６を制御する為に、バックライト電源５７０を制御するコントローラとして機能する。
【００８７】
また、ＥＣ／ＫＢＣ７３０は、色制御レジスタ（色レジスタ）７３１、バックライト輝度レジスタ（ＢＬ輝度レジスタ）７３２、色制御信号発生回路７３３、ＢＬ＿ＰＷＭ回路７３４を有する。
【００８８】
色制御レジスタ７３１には、バックライト電源５７０を制御し、バックライト１６４の色を指定するためのデータが格納される。バックライト輝度レジスタ７３２には、バックライト電源５７０を制御し、バックライト１６４の輝度を指定するためのデータが格納される。
【００８９】
ＢＬ＿ＰＷＭ回路７３４は、バックライト輝度レジスタ７３２に格納されているデータに基づいて制御信号としてのＰＷＭ信号を生成し、バックライト電源５７０に出力する。
【００９０】
色制御信号発生回路７３３は、Ｉ2Ｃバスを介して色制御回路１６５と通信を行うことによって、色センサが検出したバックライトの色情報を取得し、色制御レジスタ７３１に色情報を書き込む。色制御信号発生回路７３３は、色制御レジスタ７３１に格納されているデータと同期設定データテーブルまたは非同期設定データとに基づいて色制御信号を生成する。色制御信号発生回路７３３によって生成された色制御信号はバックライト電源５７０に対して出力される。
【００９１】
バックライト電源５７０は、バックライトの赤色ＬＥＤ、緑色ＬＥＤ、および青色ＬＥＤを点灯するために、それぞれのＬＥＤに駆動電流を供給する。バックライト電源５７０は、ＰＷＭ信号に基づいて全体の輝度レベルを決定する。また、バックライト電源５７０は、色制御信号に基づいて、赤色ＬＥＤ、緑色ＬＥＤ、および青色ＬＥＤの各ＬＥＤに供給される電流値を変更する。色制御信号に基づいて赤色ＬＥＤ、緑色ＬＥＤ、および青色ＬＥＤの各ＬＥＤに供給される電流値を変更することによって、所望の色の光を液晶パネルに照明することが出来る。バックライト電源５７０は、例えば、所定の色温度の白色が液晶パネルに照射されるように、赤色ＬＥＤ、緑色ＬＥＤ、および青色ＬＥＤの各ＬＥＤに供給される電流値を変更する。
【００９２】
バックライト１６４の色制御は、同期モード若しくは非同期モードで行われる。同期モードでは、ＰＣ起動時に色制御を自動的に行われる。例えば、同期モードでは、色温度が６５００Ｋ、５０００Ｋの白色光が液晶パネルに照明されるように自動的に設定される。非同期モードでは、ユーザが設定した色の光が液晶パネルに照明されるように自動的に設定される。
【００９３】
同期モードであるか非同期モードであるかの設定は、記憶装置としてのＣＭＯＳラム１４０内に同期／非同期設定として格納される。また、同期モードと非同期モードとの切り替えは、ユーティリティ１５２によって行われる。
【００９４】
例えば、ユーティリティによって表示される設定ウィンドウには、同期モードを選択するためのラジオボックスや、非同期モードを選択するためのラジオボックスが設けられている。同期／非同期のラジオボックスは排他的に選択可能である。ラジオボックスの一方が選択された状態で、他方ラジオボックスを選択した場合、ラジオボックスの一方のチェックマークが自動的に外れる。同期モードであるか非同期モードであるかの設定は、記憶装置としてのＣＭＯＳラム１４０内の同期／非同期設定レジスタ１４１に格納される。
【００９５】
同期モードでは、例えばＥＣ／ＫＢＣ７３０は、メインメモリ１１４にロードされている同期設定データテーブル１５３中の設定データに応じて色制御を行う。同期設定データテーブル１５３には、色情報が格納されている。
【００９６】
非同期モードの選択時、ユーティリティにて、色補正を操作することが可能である。色制御は、ｘｙ−色度図上のｘ座標とｙ座標を設定することができる。また、色温度を指定し、色温度を２５６段階などに設定することができる。ユーザが設定したｘ、ｙ座標および色温度の値は、同期／非同期設定レジスタ１４１に記録される。
【００９７】
色制御信号発生回路７３３は、起動時、またはモードが切り替えられた場合に、同期／非同期設定レジスタ１４１を参照し、同期モードであるか否かを判別する。同期モードであると判別した場合、色制御信号発生回路７３３は、ＥＣ／ＫＢＣ７３０内の色制御レジスタ７３１と、メインメモリ１１４にロードされている同期設定データテーブル１５３中の設定データに応じて、色補正を行い、バックライトの制御回路１６５に対して制御する。
【００９８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９９】
【図１】本発明の第１の実施形態に係わる情報処理装置の外観を示す斜視図。
【図２】図１に示す表示パネルの概略を示す図。
【図３】表示パネルのシステム構成を示すブロック図。
【図４】図１に示す情報処理装置のシステム構成を示すブロック図。
【図５】非同期モードの場合の色制御の手順を示すフローチャート。
【図６】第２の実施形態に係わる情報処理装置のシステム構成を示すブロック図。
【図７】第３の実施形態に係わる情報処理装置のシステム構成を示すブロック図。
【図８】第４の実施形態に係わる情報処理装置のシステム構成を示すブロック図。
【図９】表示パネルのシステム構成の一例を示すブロック図。
【図１０】第５の実施形態に係わる情報処理装置のシステム構成を示すブロック図。
【図１１】第６の実施形態に係わる情報処理装置のシステム構成を示すブロック図。
【符号の説明】
【０１００】
１３１…色制御レジスタ，１３２…バックライト輝度レジスタ，１３３…色制御信号発生回路，１３４…ＰＷＭ回路，１４０…ＣＭＯＳラム，１４１…非同期設定レジスタ，１５２…ユーティリティ，１５３…同期設定データテーブル，１６１…液晶パネル，１６２…ＬＣＤ駆動回路，１６３…ＲＯＭ，１６４…バックライト，１６５…色制御回路，１６６…色センサ。
【図１】
2009109896.tif 000003
【図２】
2009109896.tif 000004
【図３】
2009109896.tif 000005
【図４】
2009109896.tif 000006
【図５】
2009109896.tif 000007
【図６】
2009109896.tif 000008
【図７】
2009109896.tif 000009
【図８】
2009109896.tif 000010
【図９】
2009109896.tif 000011
【図１０】
2009109896.tif 000012
【図１１】
2009109896.tif 000013